(57)【要約】【課題】電子機器を保持する手が表示画面を覆っている場合であっても、電子機器の姿勢によらずに画像全体が見えるように表示する。【解決手段】電子機器は、画像を表示する表示部と、前記表示部の表示領域に対する接触の有無及び接触位置を検知する検知部と、前記表示領域において、前記検知部により接触が検知されていない領域に前記画像を当該領域に合わせた大きさで表示させる制御部と、自装置の姿勢を検知する姿勢検知部と、を備え、前記制御部は、前記姿勢検知部により検知された姿勢に基づき、前記画像の表示方向を決定する。【選択図】図１
2012243266.tif 000002
【特許請求の範囲】
【請求項１】
画像を表示する表示部と、
前記表示部の表示領域に対する接触の有無及び接触位置を検知する検知部と、
前記表示領域において、前記検知部により接触が検知されていない領域に前記画像を当該領域に合わせた大きさで表示させる制御部と、
自装置の姿勢を検知する姿勢検知部と、
を備え、
前記制御部は、前記姿勢検知部により検知された姿勢に基づき、前記画像の表示方向を決定する
ことを特徴とする電子機器。
【請求項２】
前記制御部は、前記検知部により接触が検知されていない表示領域に操作ボタンを表示する
ことを特徴とする請求項１に記載の電子機器。
【請求項３】
被写体を撮像して画像データを生成する撮像部を備え、
前記制御部は、前記撮像部が撮像している画像を前記表示部が表示しているときに、前記画像を表示している第１の領域において前記検知部が接触を検知すると、接触を検知した位置を中心に前記画像を拡大して前記第１の領域に表示させ、前記第１の領域において再度前記検知部が接触を検知すると、接触を検知した位置に表示されているオブジェクトにフォーカスが合うように前記撮像部を制御して静止画の画像データを生成させる
ことを特徴とする請求項１又は２に記載の電子機器。
【請求項４】
前記制御部は、前記撮像部が撮像している画像を前記表示部が縮小表示している場合に、前記画像を表示している第１の領域において前記検知部が接触を検知すると、接触を検知した位置を中心に前記画像を拡大して前記第１の領域に表示させ、前記第１の領域において再度前記検知部が接触を検知すると、接触を検知した位置に表示されているオブジェクトにフォーカスが合うように前記撮像部を制御して静止画の画像データを生成させる
ことを特徴とする請求項３に記載の電子機器。
【請求項５】
画像を表示する表示部と、
前記表示部の表示領域に対する接触の有無及び接触位置を検知する検知部と、
自装置の姿勢を検知する姿勢検知部と、
を備える電子機器が、前記表示領域において、前記検知部により接触が検知されていない領域に、前記画像を、前記姿勢検知部により検知された姿勢により決定された方向に表示させるステップ
を有することを特徴とする表示方法。
【発明の詳細な説明】
【技術分野】
【０００１】
本発明は、電子機器及び表示方法に関する。
【背景技術】
【０００２】
現在、表示画面上にタッチパネルを設けた携帯電話や携帯情報端末などの電子機器が存在する（例えば、特許文献１参照）。特許文献１に示すような電子機器においては、タッチパネルからユーザ操作を受け付ける。また、特許文献１に示すような電子機器は、画像を表示画面に表示することができる。
近年、電子機器の小型化が進むと同時に、表示画面については見やすい画像を表示するためにより大きな画面サイズが望まれている。
【先行技術文献】
【特許文献】
【０００３】
【特許文献１】特開２０１０−８６０８９号公報
【発明の概要】
【発明が解決しようとする課題】
【０００４】
しかしながら、電子機器のサイズに対して表示画面の占める割合が大きくなると、電子機器を保持するめに握る部分が少なくなるため、電子機器を保持する手で表示画面を覆ってしまい、表示された画像の一部が見えなくなるという問題がある。
【０００５】
本発明は上記の点に鑑みてなされたものであり、その目的は、電子機器を保持する手が表示画面を覆っている場合であっても、画像全体が見えるように表示することができる電子機器及び表示方法を提供することにある。
【課題を解決するための手段】
【０００６】
本発明は上記の課題を解決するためになされたものであり、本発明の一態様は、画像を表示する表示部と、前記表示部の表示領域に対する接触の有無及び接触位置を検知する検知部と、前記表示領域において、前記検知部により接触が検知されていない領域に前記画像を当該領域に合わせた大きさで表示させる制御部と、自装置の姿勢を検知する姿勢検知部と、を備え、前記制御部は、前記姿勢検知部により検知された姿勢に基づき、前記画像の表示方向を決定することを特徴とする電子機器である。
【発明の効果】
【０００７】
本発明によれば、電子機器を保持する手が表示画面を覆っている場合であっても、電子機器の姿勢によらずに画像全体が見えるように表示することができる。
【図面の簡単な説明】
【０００８】
【図１】本発明の実施形態による電子機器の構成を示すブロック図である。
【図２】本実施形態による画像の表示例を示すイメージ図である。
【図３】本実施形態による、表示領域をユーザの手が覆っている場合における画像の表示例を示すイメージ図である。
【図４】本実施形態による、表示領域をユーザの手が覆っている場合における画像の表示例を示すイメージ図である。
【図５】本実施形態による画像表示処理の手順を示すフローチャートである。
【図６】本実施形態による撮影操作を説明するための図である。
【図７】本実施形態による撮影操作を説明するための図である。
【図８】本実施形態によるメニュー画面表示方法を説明するための図である。
【発明を実施するための形態】
【０００９】
以下、図面を参照しながら本発明の一実施形態について詳しく説明する。
図１は、本実施形態による電子機器１の構成を示すブロック図である。
電子機器１は、携帯電話機、スマートフォン、デジタルカメラ等の携帯情報端末である。電子機器１は、制御部１０１と、撮像部１０２と、画像処理部１０３と、記憶部１０４と、表示部１０５と、タッチパネル１０６と、姿勢検知部１０７とを含んで構成される。
【００１０】
撮像部１０２は、被写体を撮像して画像データを生成する。例えば、撮像部１０２は、静止画撮影操作に応じて、撮像した静止画の画像データを出力する。また、撮像部１０２は、動画撮影操作に応じて、撮像した動画の画像データを出力する。そして、撮像部１０２によって撮像された静止画の画像データ及び動画の画像データは、制御部１０１の制御により、記憶部１０４に記録される。また、撮像部１０２は、撮影操作がされていない撮影待機状態の場合、所定の間隔で連続的に得られる画像データをスルー画像データ(スルー画像）として出力する。そして、撮像部１０２によって得られたスルー画像データは、制御部１０１の制御により、画像処理部１０３を介して表示部１０５に表示される。
尚、図示はされていないが、撮像された画像データは、撮像部１０２内か制御部１０１内の撮像データ処理部で必要に応じて処理される。
【００１１】
姿勢検知部１０７は、加速度センサ等により自装置の姿勢を検知し、検知した姿勢に応じたセンサ信号を制御部１０１に出力する。
タッチパネル（検知部）１０６は、表示部１０５の表示画面上に設置され、表示部１０５の表示領域における接触の有無及び接触位置を検知し、検知結果に基づくセンサ信号を制御部１０１に出力する。
【００１２】
制御部１０１は、電子機器１の各部を統括して制御する。例えば、制御部１０１は、タッチパネル１０６からの入力に応じて、画像処理部１０３を制御して表示部１０５に表示される画像を変化させる。
画像処理部１０３は、記憶部１０４に予め設定されている画像処理条件に基づいて、記憶部１０４のバッファメモリに記憶されている画像データに対して画像処理を実行する。ここで、記憶部１０４のバッファメモリに記憶されている画像データとは、例えば、撮像部１０２よって撮像された静止画の画像データ、もしくは動画の画像データである。
【００１３】
記憶部１０４は、ＲＡＭ（Random Access Memory）等から構成されるバッファメモリと、ＲＯＭ（Read Only Memory）等から構成されるメモリ部とを含んで構成される。バッファメモリは、画像データを記憶する。メモリ部には、画像処理条件等が記憶されている。
表示部１０５は、例えば、液晶ディスプレイであり、画像、又は、メニュー画面等を表示する。
【００１４】
［画像表示］
次に、図２〜図５を参照して、本実施形態による電子機器１における画像の表示方法について説明する。
図２は、本実施形態による画像の表示例を示すイメージ図である。
以下、撮像部１０２の撮像するスルー画像Ｉを表示する場合を例に説明する。
本図に示すように、制御部１０１は、表示部１０５の表示領域上にユーザの手がない場合は、表示部１０５の表示領域全体にスルー画像Ｉを表示させる。すなわち、制御部１０１は、タッチパネル１０６において接触が検知されていない場合は、表示部１０５の表示領域全体にスルー画像Ｉを表示させる。また、このとき、制御部１０１は、姿勢検知部１０７の検知結果に基づき重力方向を判定し、重力方向が下になるようにスルー画像Ｉを表示させる。
【００１５】
図３は、本実施形態による、表示領域をユーザの手が覆っている場合における画像の表示例を示すイメージ図である。
本図に示すように、制御部１０１は、ユーザの手Ｕが表示部１０５の表示領域の一部を覆っている場合には、ユーザの手Ｕが覆っていない領域にスルー画像Ｉを縮小して表示させる。すなわち、制御部１０１は、タッチパネル１０６が接触を検知している場合は、タッチパネル１０６が接触を検知していない領域にスルー画像Ｉを縮小して表示する。このとき、制御部１０１は、スルー画像Ｉの大きさをタッチパネルが接触を検知していない領域の大きさに合わせて表示する。更に、制御部１０１は、表示部１０５の表示領域おいて、ユーザの手が接触していない領域であって、スルー画像Ｉを表示してない領域に、メニューボタンＢ等の操作ボタンを表示させる。メニューボタンＢは、撮像条件等を設定するためのメニューを表示するためのボタンである。
【００１６】
なお、制御部１０１は、ユーザの手Ｕが表示部１０５の表示領域から離れてタッチパネル１０６が接触を検知しなくなると、スルー画像Ｉを拡大して表示部１０５の表示領域全体に表示する。
また、制御部１０１は、ユーザの手Ｕが表示領域上を移動したことを検知すると、ユーザの手Ｕの移動に合わせてスルー画像Ｉ及びメニューボタンＢの表示を変更させる。すなわち、制御部１０１は、タッチパネル１０６が接触を検知しないない領域にスルー画像Ｉ及びメニューボタンＢを移動させる。
【００１７】
図４は、本実施形態による、表示領域をユーザの手が覆っている場合における画像の表示例を示すイメージ図である。図４は、図３に示す状態から電子機器１を左に９０度回転させた場合の表示例である。
本図に示すように、制御部１０１は、重力方向が下になるようにスルー画像Ｉ及びメニューボタンＢを右に９０度回転させて表示部１０５に表示する。このとき、制御部１０１は、表示部１０５の表示領域において、タッチパネル１０６が接触を検知していない領域に、スルー画像及びメニューボタンＢを表示する。
【００１８】
図５は、本実施形態による画像表示処理の手順を示すフローチャートである。
まず、制御部１０１は、姿勢検知部１０７の検知結果に基づき重力方向を判定する（ステップＳ１０１）。次に、制御部１０１は、判定した重力方向に基づき、スルー画像Ｉの表示方向を決定する（ステップＳ１０２）。具体的には、制御部１０１は、重力方向が下になるようにスルー画像Ｉの表示方向を決定する。
次に、制御部１０１は、タッチパネル１０６上に接触領域があるか否かを判定する（ステップＳ１０３）。接触領域とは、タッチパネル１０６が接触の有ることを検知している領域である。
【００１９】
制御部１０１は、タッチパネル１０６上に接触領域がない場合（ステップＳ１０３：Ｎｏ）、表示部１０５の全表示領域にスルー画像Ｉを表示する（ステップＳ１０７）。
一方、制御部１０１は、タッチパネル１０６上に接触領域がある場合（ステップＳ１０３：Ｙｅｓ）、接触領域以外の領域を画像表示領域とする（ステップＳ１０４）。すなわち、制御部１０１は、タッチパネル１０６が接触を検知していない領域のうち面積が最大となる矩形の領域を画像表示領域とする。ただし、この矩形の画像表示領域の縦横比は、表示部１０５における矩形の表示領域の縦横比と等しい。
そして、制御部１０１は、画像表示領域の大きさに合わせてスルー画像Ｉを縮小し、縮小したスルー画像Ｉを画像表示領域に表示する（ステップＳ１０５）。
最後に、制御部１０１は、タッチパネル１０６が接触を検知していない領域であって画像表示領域以外の領域にメニューボタンＢなどを表示しても良い（ステップＳ１０６）。
【００２０】
なお、本実施形態では、スルー画像Ｉを表示する場合を例に説明したが、静止画の画像データや動画の画像データを表示する場合も同様に、タッチパネル１０６が接触を検知していない領域に画像を表示する。
また、本実施形態では、メニューボタンＢをタッチパネル１０６が接触を検知していない領域であって画像表示領域以外の領域に表示しているが、スルー画像Ｉの上にメニューボタンＢを重ねて表示する等、メニューボタンＢを表示する位置は、タッチパネル１０６が接触を検知していない領域であればよい。
【００２１】
このように、本実施形態によれば、タッチパネル１０６が接触を検知していない領域に画像を表示するため、ユーザの手が表示部１０５の表示領域を覆っている場合であっても、画像全体が見えるように表示することができる。また、タッチパネル１０６が接触を検知していない領域に操作ボタンを表示するため、ユーザの手に覆われて操作ボタンが見えない又は操作ボタンを操作できないということがない。また、電子機器１を保持している手により誤って操作ボタンが押下されることを防ぐことができる。
【００２２】
［撮影操作］
次に、図６及び図７を参照して、スルー画像Ｉを縮小表示している状態における撮影操作について説明する。図６及び図７は、本実施形態による撮影操作を説明するための図である。
まず、スルー画像Ｉを全表示領域に表示している場合の撮影操作について説明する。スルー画像Ｉを全表示領域に表示している場合には、表示されている画像において撮像部１０２のフォーカスを合わせたい領域にユーザがタッチすると、撮像部１０２はタッチされた領域にフォーカスを合わせて被写体を撮像する。すなわち、制御部１０１は、スルー画像を全表示領域に表示しているときに、タッチパネル１０６が接触を検知すると、接触を検知した位置に表示されているオブジェクト（領域）にフォーカスが合うように撮像部１０２を制御して静止画の画像データを生成させる。
【００２３】
しかしながら、スルー画像Ｉを縮小表示しているときに、同様の操作で撮影しようとすると、表示されているスルー画像Ｉが全表示領域に表示している場合と比べて小さいため、全表示領域にスルー画像Ｉを表示している場合に比べてフォーカスを合わせたい位置を指定し難い。このため、本実施形態における電子機器１は、スルー画像Ｉを縮小表示している場合には、ユーザがスルー画像Ｉの画像表示領域内の領域Ａ１をタッチすると（図６参照）、タッチされた領域Ａ１を中心にスルー画像Ｉを拡大して表示領域に部分表示する（図７参照）。このときのスルー画像Ｉの拡大率は、スルー画像Ｉを全表示領域に表示するときの拡大率と等しい。スルー画像Ｉを拡大表示することにより、ユーザはピントを合わせたい位置を指定しやすくなる。そして、ユーザがピントを合わせたいオブジェクトＡ２にタッチすると、撮像部１０２はタッチされたオブジェクトＡ２にフォーカスを合わせて被写体を撮像する。
【００２４】
すなわち、制御部１０１は、スルー画像Ｉを縮小表示しているときに、スルー画像Ｉの画像表示領域においてタッチパネル１０６が接触を検知すると、接触を検知した位置Ａ１を中心にスルー画像Ｉを拡大して画像表示領域に部分表示させる。そして、制御部１０１は、画像表示領域において再度タッチパネル１０６が接触を検知すると、接触を検知した位置に表示されているオブジェクトＡ２にフォーカスが合うように撮像部１０２を制御して静止画の画像データを生成させる。
【００２５】
なお、本実施形態では、制御部１０１は、スルー画像Ｉを全表示領域に表示している場合には、１度目の接触で、接触位置にフォーカスを合わせて被写体を撮像しているが、スルー画像Ｉを縮小表示しているときと同様、１度目の接触でスルー画像Ｉを拡大表示し、２度目の接触で接触位置にフォーカスが合うように撮像してもよい。
【００２６】
このように、本実施形態によれば、制御部１０１は、スルー画像Ｉを縮小表示している場合には、画像表示領域における１回目の接触でスルー画像Ｉを拡大表示し、画像表示領域における２回目の接触で接触位置にフォーカスが合うように撮像部１０２に撮像させる。これにより、スルー画像Ｉを縮小表示している場合であっても、簡単な操作で容易にフォーカスを合わせる位置を指定することができる。
【００２７】
［メニュー画面表示］
次に、図８を参照して、本実施形態による電子機器１におけるメニュー画面の表示方法について説明する。図８は、本実施形態によるメニュー画面表示方法を説明するための図である。
制御部１０１は、メニュー画面において、例えば処理１〜処理６を行わせるための識別表示（以下、アイコンとする）を表示部１０５に表示する。このとき、制御部１０１は、タッチパネル１０６上に接触領域がある場合には、接触領域以外の領域に各アイコンを表示する。すなわち、制御部１０１は、タッチパネル１０６が接触を検知していない領域に各アイコンを表示する。
【００２８】
このように、本実施形態によれば、制御部１０１は、タッチパネル１０６が接触を検知していない領域にアイコンを表示する。このため、表示領域の一部が手に覆われている場合であってもアイコンが全て見えるように表示することができる。また、電子機器１の保持している手で誤ってアイコンが押下されることを防ぐことができる。
【００２９】
また、図５に示す各ステップを実現するためのプログラムをコンピュータ読み取り可能な記録媒体に記録して、この記録媒体に記録されたプログラムをコンピュータシステムに読み込ませ、実行することにより、画像表示処理を行ってもよい。なお、ここでいう「コンピュータシステム」とは、ＯＳや周辺機器等のハードウェアを含むものであってもよい。
また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。  
【００３１】
以上、図面を参照してこの発明の実施形態について詳しく説明してきたが、具体的な構成は上述のものに限られることはなく、この発明の要旨を逸脱しない範囲内において様々な設計変更等をすることが可能である。
【符号の説明】
【００３２】
１…電子機器  １０１…制御部  １０２…撮像部  １０３…画像処理部  １０４…記憶部  １０５…表示部  １０６…タッチパネル  １０７…姿勢検知部
【図１】
2012243266.tif 000003
【図２】
2012243266.tif 000004
【図３】
2012243266.tif 000005
【図４】
2012243266.tif 000006
【図５】
2012243266.tif 000007
【図６】
2012243266.tif 000008
【図７】
2012243266.tif 000009
【図８】
2012243266.tif 000010